(57)【要約】【課題】袋体内の物品に対する損傷発生を防止し、商品価値を維持したままシート状物品を確実に払い出すことができる物品払出装置を提供する。【解決手段】シート状食品を複数個並列した状態で袋体に内封してなる複数のシート状物品Ｗを物品払出動作に応じて物品払出部から１つずつ払い出す物品払出機構５を備えた。このため、複数個のシート状食品が一体に形成されている場合と比べて高い可撓性が得られる。これにより、物品払出装置１においては、経時変化によって、あるいは物品払出時に加わるシート状物品Ｗへの負荷によって袋体ｃ内の物品ａ，ｂに対するひび割れ等の損傷が発生せず、商品価値を維持したままシート状物品Ｗを確実に払い出すことができる。【選択図】        図７
2006163627.tif 000002
【特許請求の範囲】
【請求項１】
物品を複数個並列した状態で袋体に内封してなる複数のシート状物品を物品払出動作に応じて物品払出部から１つずつ払い出す物品払出装置であって、
前記複数のシート状物品を物品払出部側に圧接して貯留可能な物品貯留箱を内蔵し、前記物品貯留箱内のシート状物品を外部に取り出すための物品取出口を有する装置本体と、
前記装置本体内に配設され、前記物品貯留箱の物品払出部から前記シート状物品を前記物品取出口に払い出すための物品払出機構とを備えたことを特徴とする物品払出装置。
【請求項２】
前記装置本体には、表示装置を有する遊技機が取り付けられている請求項１に記載の物品払出装置。
【請求項３】
前記装置本体内には、前記表示装置及び前記物品払出機構を駆動制御するコントローラが配設されている請求項２に記載の物品払出装置。
【請求項４】
前記複数のシート状物品は前記物品貯留箱内に積層されている請求項１〜３のいずれかに記載の物品払出装置。
【請求項５】
前記複数の物品は、互いに異なる文字・図形が表示された複数のシート状食品である請求項１〜４のいずれかに記載の物品払出装置。
【発明の詳細な説明】
【技術分野】
【０００１】
本発明は、例えば、シート状物品を袋体に内封した状態で物品払出動作に応じて１つずつ払い出す物品払出装置に関する。
【背景技術】
【０００２】
例えば、テレフォンカードやキャラクタカード・ブロマイド等のカード類を袋体に内封してなるシート状物品を購買者による代金投入後に物品払出動作に応じて払い出す物品払出装置がある。
【０００３】
従来、この種の物品払出装置には、複数のシート状物品を支持可能なテーブルと、テーブルを昇降させる移動装置と、テーブル上の複数のシート状物品のうち最上方のシート状物品を吸着する吸引装置と、吸引装置によって吸着された最上方のシート状物品を外部に運搬するための運搬装置とを備えたものが提案されている（例えば、特許文献１参照。）。
【０００４】
このような物品払出装置におけるシート状物品の払い出しは、まず移動装置によってテーブルを上昇させて最上限位置に配置し、次いで吸引装置によってテーブル上のシート状物品のうち最上方のシート状物品を吸着し、しかる後この最上方のシート状物品を運搬装置によって外部に運搬することにより行われる。
【０００５】
また、従来の物品払出装置には、水平方向に並列する複数のプリペイドカードのうちベルト側のプリペイドカードを搬送するベルトコンベアと、ベルトコンベアのカード接触面にプリペイドカードを押圧する押圧板と、複数のプリペイドカードの搬送を規制するブレーキローラとを備えたものも提案されている（例えば、特許文献２参照。）。
【０００６】
このような物品払出装置を用いたプリペイドカードの払い出しは、ベルトコンベアを駆動してプリペイドカードを払出方向（プリペイドカードの並列方向と直角な水平方向）に搬送することにより行われる。
【特許文献１】特開２００３−２６１２３６号公報
【特許文献２】特開平９−２２５１１２号公報
【発明の開示】
【発明が解決しようとする課題】
【０００７】
ところで、従来の物品払出装置において扱われる物品には前述したカード類の他、ガムや飴・チョコレート等の食品もあるが、これら食品は通常粒状であり、このため前述した物品払出装置以外の物品払出装置を用いて、例えば、透明な多数のカプセルに内封された状態で払い出される。
一方、特許文献１又は２の物品払出装置において、ガム等の物品（食品）をシート状にして袋体に内封した状態（シート状物品とした状態）で用いると、経時変化によって、あるいは物品払出時に加わるシート状物品への負荷によってそれぞれ袋体内の物品にひび割れ等の損傷が生じ、払い出されるシート状物品の商品価値が低下するという問題がある。
【０００８】
従って、商品価値を維持したままシート状物品を確実に払い出すために、袋体内の物品に対する損傷発生を防止することができる物品払出装置の出現が従来から要望されていた。
【０００９】
本発明は、このような要望に応えるべくなされたもので、物品を複数個並列した状態で袋体に内封してなる複数のシート状物品を物品払出動作に応じて物品払出部から１つずつ払い出す物品払出機構を備えるというきわめて簡単な構成により、袋体内の物品に対する損傷発生を防止することができ、もって商品価値を維持したままシート状物品を確実に払い出すことができる物品払出装置を提供することにある。
【課題を解決するための手段】
【００１０】
本発明は、上記した目的を達成するために、物品を複数個並列した状態で袋体に内封してなる複数のシート状物品を物品払出動作に応じて物品払出部から１つずつ払い出す物品払出装置であって、前記複数のシート状物品を物品払出部側に圧接して貯留可能な物品貯留箱を内蔵し、前記物品貯留箱内の物品を外部に取り出すための物品取出口を有する装置本体と、前記装置本体内に配設され、前記物品貯留箱の物品払出部から前記シート状物品を前記物品取出口に払い出すための物品払出機構とを備えたことを特徴とする物品払出装置を提供する。
【発明の効果】
【００１１】
本発明によれば、袋体内の物品に対する損傷発生を防止することができ、商品価値を維持したままシート状物品を確実に払い出すことができる。
【発明を実施するための最良の形態】
【００１２】
以下、本発明の実施の形態につき、図面に基づいて説明する。
<物品払出装置の全体構成>
図１は、本発明の実施の形態に係る物品払出装置の外観を示す斜視図である。図２は、本発明の実施の形態に係る物品払出装置の内部構造を説明するために示す正面図である。図３は、本発明の実施の形態に係る物品払出装置の内部構造を説明するために示す側面図である。図４は、本発明の実施の形態に係る物品払出装置によって払い出されるシート状物品を示す斜視図である。
【００１３】
図１、図２、及び図３において、物品払出装置１は、筐体としての装置本体２と、購買者（遊技者）の釦操作によるコントローラ（後述）の画像処理によって画像を表示する遊技機３と、複数のシート状物品Ｗ，Ｗ，…を積層した状態で貯留可能な物品貯留箱４と、物品払出動作に応じてシート状物品Ｗを１つずつ払い出す物品払出機構５と、遊技機３（表示装置）及び物品払出機構５を駆動制御するコントローラ６とによって大略構成されている。
【００１４】
シート状物品Ｗは、図４に示すように、互いに異なる文字・図形が表示されたガム等のシート状食品ａ，ｂを複数個（図４では２個）並列した状態でプラスチック(例えば、ポリプロピレン)製の袋体ｃに内封してなる商品である。この袋体ｃは、透明部ｃ１と不透明部ｃ２を有しており、シート状物品Ｗの長さ方向の両端に不透明部ｃ２が配置され、中央に透明部ｃ１が配置されて中に収容されたシート状食品ａ、ｂの表面の文字、図柄が見えるように形成されている。
【００１５】
<装置本体２の構成>
装置本体２は、図１に示すように、基台部２Ａ及び本体部２Ｂを有している。基台部２Ａは、物品払出装置１の座部材として機能し、全体が、例えば、鋼板等の金属材料からなる截頭略四角錐形状の箱体によって形成されている。そして、本体部２Ｂ及び遊技機３を保持するように構成されている。本体部２Ｂは、前方に開口する構造体２１及び構造体２１の前面壁を形成する前面パネル２２を有し、全体が基台部２Ａの形成材料と同一の形成材料からなる略四角形状の箱体によって形成されている。
【００１６】
構造体２１には、図２及び図３に示すように、コントローラ６の他、購買者の投入による硬貨を選別する硬貨選別装置２３及び硬貨選別装置２３の硬貨処理部２３ａを通過した硬貨を貯蔵する金庫２４等を収容するための内部空間２１ａが形成されている。内部空間２１ａには、硬貨選別装置２３から金庫２４に至る硬貨誘導シュート２５と、物品貯留箱４から物品取出口(後述)に至る物品誘導シュート２６とが配設されている。
【００１７】
前面パネル２２は、図１に示すように、シュート状物品Ｗ・遊技の代金としての硬貨を投入するための硬貨投入口２２ａ及び硬貨選別装置２３（図２及び図３に示す）を通過した硬貨を返却するための硬貨返却口２２ｂを有し、構造体２１の一方側側縁に開閉自在に取り付けられている。前面パネル２２の下方端部には、シート状物品Ｗをその表側部ｗ(図４に示す)が購買者によって視認されるような状態で外部に取り出すための物品取出口２２ｃが配設されている。前面パネル２２と構造体２１との間には、硬貨返却口２２ｂの下方に位置する施錠部２２ｄが配設されている。これにより、前面パネル２２の構造体２１からの開放が防止される。
【００１８】
<遊技機３の構成>
遊技機３は、図１、図２、及び図３に示すように、遊技機本体３Ａ及びディスプレイ３Ｂを有し、本体部２Ｂの上方に配設され、かつコントローラ６に接続されている。遊技機本体３Ａは、構造体２１の上方端部に一体に設けられている。遊技機本体３Ａには、構造体２１の内部空間２１ａに連通する内部空間３１が形成されている。遊技機本体３Ａの上方端部には、遊技機３の表示画面等を選択するための複数（図１では２個）の押釦３２ａ，３２ａ及び押釦３２ａ，３２ａによって選択された表示画面（シート状物品Ｗの払い出し）を決定するための押釦３２ｂを有する操作パネル３２が配設されている。操作パネル３２は、遊技機３の背面部から前面部に向かって下る勾配をもつ傾斜パネルによって形成されている。ディスプレイ３Ｂは、カラー表示画面を有する液晶表示装置からなり、操作パネル３２の上方端縁近傍に配設され、かつ遊技機本体３Ａに立ち上がり部３３を介して取り付けられている。そして、購買者の釦操作（操作パネル３２における押釦３２ａ，３２ｂの押圧操作）によるコントローラ６の駆動制御によって駆動されるように構成されている。
【００１９】
<物品貯留箱４の構成>
図５は、本発明の実施の形態に係る物品払出装置の物品貯留箱及び物品払出機構を示す斜視図である。図６は、本発明の実施の形態に係る物品払出装置の物品貯留箱及び物品払出機構を示す正面図である。図７は、本発明の実施の形態に係る物品払出装置の物品貯留箱及び物品払出機構を示す側面図である。
【００２０】
物品貯留箱４は、図５〜図７に示すように貯留部４Ａ及び載置部４Ｂからなり、構造体２１の内部空間２１ａ(図２及び図３に示す)に配設され、かつ本体部２Ｂ（図２及び図３に示す）の底面部に固定されている。
【００２１】
貯留部４Ａは、図５に示すように、上下方向・右側方に開口する断面略コ字状の箱本体４０及び箱本体４０の右側開口一部を閉塞するような物品移動規制片４１によって形成されている。そして、複数のシート状物品Ｗ，Ｗ，…をその表側部ｗ，ｗ，…が下側になるように積層し、かつウエイト４２によって物品払出部（貯留部４Ａの底面部）側に圧接した状態で内部に貯留するように構成されている。
【００２２】
箱本体４０の前面部には、図６に示すように、シート状物品Ｗ，Ｗ，…の一部を前面パネル２２（図1及び図３に示す）の開状態において視認可能な複数（図６では３個）の長孔４３，４３，…及びこれら長孔４３，４３，…の下方に位置する物品搬送口４４が設けられている。また、箱本体４０の前面部には、図７に示すように、物品搬送口４４の外側開口周縁側に位置し、物品貯留箱４からの複数のシート状物品Ｗ，Ｗの払い出しを規制する物品払出規制部材４５が取り付けられている。物品払出規制部材４５の物品貯留部側端縁には、物品貯留箱４内のシート状物品Ｗを物品貯留箱４外に案内するためのガイド部４５ａが設けられている。
【００２３】
載置部４Ｂは、図６に示すように、貯留部４Ｂの一部(底面部)となる上面板４６及び上面板４６の両側部に連接する左右２つの脚部付きの側面板４７，４７によって形成されている。載置部４Ｂ内には、物品払出機構５の構成部品（一部）を収容可能な収容空間４８が形成されている。上面板４６には、収容空間４８及び箱本体４０内に連通する開口窓４９が設けられている。左右両側面板４７，４７の前面部には、物品搬送口４４の前方に位置し、前後方向に開口する略四角筒状のホルダ１００が固定されている。
【００２４】
ホルダ１００内には、図７に示すように、前後両ホルダ開口部のうち前方の開口部を開閉するフラッパ１０１が回動自在に枢支されている。また、ホルダ１００内には、シート状物品Ｗを検出する第１センサ１０２ａ及び第２センサ１０２ｂを有する物品検出装置１０２が配設されている。両センサ１０２ａ，１０２ｂは、受発光素子からなり、物品払出機構５とフラッパ１０１との間に形成される物品払出経路に沿って並設されている。
【００２５】
<物品払出機構５の構成>
図８は、本発明の実施の形態に係る物品払出装置の物品払出機構を説明するために示す平面図である。図９は、本発明の実施の形態に係る物品払出装置における物品払出機構の第１駆動力伝達部を説明するために示す斜視図である。図１０は、本発明の実施の形態に係る物品払出装置における物品払出機構の搬送ローラの構成を示し、（ａ）は斜視図、（ｂ）は搬送ローラの形状を示す側面図である。図１１は、本発明の実施の形態に係る物品払出装置における物品払出機構の第２駆動力伝達部を説明するために示す斜視図である。
【００２６】
物品払出機構５は、図８に示すように、駆動源としての減速機構付きの回転モータ５０（図７に示す）と、回転モータ５０からの回転力を受けて駆動する第１駆動力伝達部５１と、第１駆動力伝達部５１からの駆動力を受けて回転する第１搬送ローラ５２と、第１搬送ローラ５２の回転力を受けて駆動する第２駆動力伝達部５３と、第２駆動力伝達部５３からの駆動力を受けて回転する第２搬送ローラ５４と、第１駆動力伝達部５１からの駆動力を受けて回転する繰出ローラ５５と、繰出ローラ５５のローラ面にシート状物品Ｗを圧接する押圧ローラ５６とを備え、構造体２１の内部空間２１ａ(図２及び図３に示す)に配設されている。そして、物品貯留箱４の物品払出部(貯留部４Ａの底部)からシート状物品Ｗを物品取出口２２ｃ(図１に示す)に払い出すように構成されている。
【００２７】
回転モータ５０は、左側方に突出する駆動軸５０ａを有し、載置部４Ｂの左側面板４７に取り付けられ、かつコントローラ６（図２及び図３に示す）に接続されている。そして、購買者の釦操作（操作パネル３２における押釦３２ｂの押圧操作）によるコントローラ６の駆動制御によって回転するように構成されている。
【００２８】
第１駆動力伝達部５１は、図９に示すように、同一面（載置部４Ｂの側面）内で回転可能な第１プーリ５１ａ〜第３プーリ５１ｃと、第１プーリ５１ａ（回転モータ５０）の回転によって駆動する伝達ベルト５１ｄと、伝達ベルト５１ｄに張力を付与するテンションローラ５１ｅとを有し、物品貯留箱４の左側方に配設されている。
【００２９】
第１プーリ５１ａは駆動軸５０ａに固着されている。第２プーリ５１ｂは左右両側面板４７，４７に支軸５７を介して、また第３プーリ５１ｃはホルダ１００に支軸５８を介してそれぞれ回転自在に保持されている。伝達ベルト５１ｄは、無端タイミングベルトからなり、第１プーリ５１ａ〜第３プーリ５１ｃに掛け渡されている。そして、第１プーリ５１ａ（回転モータ５０）の回転力を第２プーリ５１ｂ及び第３プーリ５１ｃに伝達するように構成されている。テンションローラ５１ｅは、伝達ベルト５１ｄの外側に配設され、かつ左側面板４７に位置調整可能に取り付けられている。
【００３０】
第１搬送ローラ５２は、図１０（ｂ）に示すように、ローラ面５２Ａと、ローラ面５２Ａより大なる外径を有するローラ５２Ｂとを有し、ローラ面５２Ａとローラ面５２Ｂとの境界部に段部５２ａが設けられている。この第１搬送ローラ５２は、支軸５７(図８に示す)の軸線方向略中央部に固着されている。そして、シート状物品Ｗの物品被払出側への払い出しが確実に行われるために、全体が物品貯留箱４内のシート状物品Ｗ，Ｗ，…のうち物品払出部側（最下方）のシート状物品Ｗとの間で発生する摩擦力を高めるような、例えば、ゴムローラからなる摩擦ローラによって形成されている。このため、物品払出時に第１駆動力伝達部５１の駆動によって第１搬送ローラ５２が支軸５７と共に回転すると、最下方のシート状物品Ｗの下面（表側部ｗ）に押圧接触しているローラ面５２Ａ又はローラ面５２Ｂが最下方のシート状物品Ｗを払い出す。このようにして最下方のシート状物品Ｗが物品貯留箱４内から物品貯留箱４外に搬送される。
【００３１】
段部５２ａは、第１搬送ローラ５２と最下方のシート状物品Ｗとの接触状態を一時的に変化させることにより、ローラ面５２Ａ，５２Ｂとシート状物品Ｗとがスリップすることを防ぐようになっている。また、段部５２ａのエッジがシート状物品Ｗに当接することで局所的に払い出し方向の外力を付与する。
【００３２】
第２駆動力伝達部５３は、図１１に示すように、同一面(載置部４Ｂの側面)内で回転可能な第４プーリ５３ａ，第５プーリ５３ｂと、第４プーリ５３ａ（第１搬送ローラ５２）の回転によって駆動する伝達ベルト５３ｃとを有し、物品貯留箱４の右側方に配設されている。
【００３３】
第４プーリ５３ａ及び第５プーリ５４ｂは左右両側面板４７，４７に支軸５７，２００をそれぞれ介して回転自在に保持されている。伝達ベルト５４ｃは、無端タイミングベルトからなり、第４プーリ５３ａ及び第５プーリ５４ｂに掛け渡されている。そして、第４プーリ５３ａの回転力を第５プーリ５３ｂに伝達するように構成されている。
【００３４】
第２搬送ローラ５４は、第１搬送ローラ５２と同一の外形および材料で形成されており、第１搬送ローラ５２の物品被払出側(前方)に並設され、かつ支軸２００に固着されている。このため、物品払出時に第２駆動力伝達部５３の駆動によって第２搬送ローラ５４が支軸２００と共に回転すると、最下方のシート状物品Ｗの下面（表側部ｗ）に押圧接触しているローラ面５４Ａ又はローラ面５４Ｂが最下方のシート状物品Ｗを払い出す。このことにより第１搬送ローラ５２との協働に基づいて最下方のシート状物品Ｗが物品貯留箱４内から物品貯留箱４外に搬送される。
【００３５】
段部５４ａは、第１搬送ローラ５２の段部５２ａと同様に、ローラ面５４Ａ，５４Ｂとシート状物品Ｗとがスリップすることを防ぐようになっている。また、段部５４ａのエッジがシート状物品Ｗに当接することで局所的に払い出し方向の外力を付与する。
【００３６】
繰出ローラ５５は、図７に示すように、ホルダ１００内に配設され、かつ支軸５８に固着されている。そして、物品払出時には第３プーリ５１ｃの回転によって支軸５８と共に回転し、物品貯留箱４から物品取出口２２ｃに向かってシート状物品Ｗを繰り出すように構成されている。
【００３７】
押圧ローラ５６は、図７に示すように、ホルダ１００内にブラケット５００を介して昇降自在に保持され、かつスプリング５０１によって繰出ローラ側に付勢されている。そして、前述したように繰出ローラ５５のローラ面５５ａにシート状物品Ｗを圧接するように構成されている。これにより、繰出ローラ５５とシート状物品Ｗ及び押圧ローラ５６とシート状物品Ｗとの間に発生する摩擦力が高められ、シート状物品Ｗの物品被払出側への繰り出しが確実に行われる。
【００３８】
<コントローラ６の構成>
コントローラ６は、シート状物品Ｗの払い出し等を制御する種々のプログラムを格納する記憶回路と、押釦３２ａ，３２ｂ及び第１センサ１０２ａ，第２センサ１０２ｂからの入力に基づいてディスプレイ３Ｂと回転モータ５０に駆動電流を出力する駆動回路（共に図示せず）を内蔵し、図２及び図３に示すように構造体２１内に固定されている。
【００３９】
<物品払出装置１の動作>
購買者は、単一のシート状物品Ｗの金額（遊技料金）に応じた硬貨を硬貨投入口２２ａに投入する。この場合、硬貨投入口２２ａに投入された硬貨の適否が材質・外径等から硬貨選別装置２３の硬貨処理部２３ａにおいて判断され、「適正」と判断された硬貨が所定の硬貨通路に振り分けられ、硬貨誘導シュート２５を介して金庫２４に誘導される。また、硬貨が「適正」と判断されると、コントローラ６が遊技機３のディスプレイ３Ｂを駆動し、ディスプレイ３Ｂに表示された表示画像によって「シート状物品Ｗの払い出し(遊技)が可能であること」が購買者に通知される。
【００４０】
なお、硬貨処理部２３ａにおいて、硬貨が「不適正」と判断されると、硬貨返却口２２ｂに返却される。
【００４１】
次いで、購買者は、ディスプレイ３Ｂの表示画面を選択する（切り替える）ために、操作パネル３２の押釦３２ａ，３２ａを押圧操作する。この場合、押釦３２ａ，３２ａが押圧操作されると、押釦３２ａ，３２ａからコントローラ６に切替信号が入力され、ディスプレイ３Ｂの表示画面が切り替えられる。
【００４２】
しかる後、選択されたディスプレイ３Ｂの表示画面を決定するために、操作パネル３２の押釦３２ｂを押圧操作する。この場合、押釦３２ｂが押圧操作されると、押釦３２ｂからコントローラ６に決定信号が入力され、ディスプレイ３Ｂの表示画面が決定される。
【００４３】
また、押釦３２ｂの押圧操作によってコントローラ６に物品払出信号が入力され、物品払出機構５（回転モータ５０）が駆動される。このため、回転モータ５０の駆動（正方向回転）力が第１プーリ５１ａから伝達ベルト５１ｄを介して第２プーリ５１ｂ及び第３プーリ５１ｃに伝達され、これに伴い第１搬送ローラ５２及び繰出ローラ５５が回転する。同時に、第１搬送ローラ５２の回転力が第４プーリ５３ａから伝達ベルト５３ｃを介して第５プーリ５３ｂに伝達され、これに伴い第２搬送ローラ５４が回転する。これにより、物品貯留箱４内のシート状物品Ｗ，Ｗ，…のうち最下方のシート状物品Ｗが第１搬送ローラ５２及び第２搬送ローラ５４によって物品払出方向に払い出される。この後、最下方のシート状物品Ｗが繰出ローラ５５によって物品払出方向にさらに繰り出されるため、フラッパ１０１を開方向に回動させ、物品誘導シュート２６を介して物品取出口２２ｃに払い出される。
【００４４】
そして、購買者は物品取出口２２ｃからシュート状物品Ｗを物品払出装置１外に取り出す。
【００４５】
上述した物品払出装置１の動作においては、押釦３２ｂの押圧操作によってスイッチＯＮ状態となったタイミングからｔ秒（あらかじめ設定された時間）後にコントローラ６によって回転モータ５０が回転停止される。この場合、シート状物品Ｗの払い出しが実行されると、第１センサ１０２ａ及び第２センサ１０２ｂが共にシート状物品Ｗを検出せず、「ＯＮ」状態となり、これら検出信号がコントローラ６に出力される。
【００４６】
ここで、シート状物品Ｗの払い出しが実行されず、第１センサ１０２ａが「ＯＦＦ」状態となるとともに、第２センサ１０２ｂが「ＯＮ」状態となる場合や、第１センサ１０２ａ及び第２センサ１０２ｂが共に「ＯＦＦ」状態となる場合には、シート状物品Ｗの払い出しが不十分であるため、第１搬送ローラ５２及び第２搬送ローラ５４に対するシート状物品Ｗの接触状態を変えてその払い出しが実行されるように、コントローラ６によって回転モータ５０を逆方向に回転させてから再度正方向にＴ秒間（あらかじめ設定された時間）回転させる。
【００４７】
また、シート状物品Ｗ（物品貯留箱４における最下方のシート状物品Ｗ）の払い出しが実行され、第１センサ１０２ａが「ＯＦＦ」状態となるとともに、第２センサ１０２ｂが「ＯＮ」状態となる場合には、次のシート状物品Ｗ（最下方のシート状物品Ｗに繋がった状態で払い出されたシート状物品Ｗ）の払い出しが開始されているため、そのシート状物品Ｗの物品貯留箱４内への引き戻しが実行されるように、コントローラ６によって回転モータ５０を逆転方向にＳ秒間（あらかじめ設定された時間）回転させる。
【００４８】
（実施の形態の効果）
以上説明した実施の形態によれば、次に示す効果が得られる。
（１）シート状物品Ｗは、互いに異なる文字・図形が表示されたガム等のシート状食品ａ，ｂを２個並列した状態で袋体ｃに内封してなる商品であるため、シート状食品ａ，ｂが一体に形成されている場合と比べて高い可撓性が得られる。これにより、物品払出装置１においては、経時変化によって、あるいは物品払出時に加わるシート状物品Ｗへの負荷によって袋体ｃ内の物品ａ，ｂに対するひび割れ等の損傷が発生せず、商品価値を維持したままシート状物品Ｗを確実に払い出すことができる。
【００４９】
（２）シート状物品Ｗの払い出しが物品払出機構５によって実行することができるため、特許文献１に示すような吸引装置や昇降装置が不要である。このため、部品点数を削減することができ、構造全体の簡素化及びコストの低廉化を図ることができる。
【００５０】
（３）物品払出時には、ローラ面５２Ａ，５２Ｂ、ローラ面５４Ａ，５４Ｂ、が最下方のシート状物品Ｗの下面（表側部ｗ）に押圧接触し、さらに段部５２ａ，５４ａがシート状物品Ｗに対し局所的に払い出し方向の外力を付与するため、シート状物品Ｗのスリップ発生を防止することができ、物品払出能力を十分に保証することができる。
【００５１】
なお、本実施の形態においては、複数のシート状物品Ｗ，Ｗ，…が物品貯留箱４内に積層されている場合について説明したが、本発明はこれに限定されず、複数のシート状物品Ｗ，Ｗ，…を水平方向に並列させ、かつ物品払出部側に圧接して物品貯留箱４内に貯留してもよい。すなわち、本発明は、複数のシート状物品が物品払出部側に圧接された状態で物品貯留箱４内に貯留されていればよい。
【図面の簡単な説明】
【００５２】
【図１】本発明の実施の形態に係る物品払出装置の外観を示す斜視図。
【図２】本発明の実施の形態に係る物品払出装置の内部構造を説明するために示す正面図。
【図３】本発明の実施の形態に係る物品払出装置の内部構造を説明するために示す側面図。
【図４】本発明の実施の形態に係る物品払出装置によって払い出されるシート状物品を示す斜視図。
【図５】本発明の実施の形態に係る物品払出装置の物品貯留箱及び物品払出機構を示す斜視図。
【図６】本発明の実施の形態に係る物品払出装置の物品貯留箱及び物品払出機構を示す正面図。
【図７】本発明の実施の形態に係る物品払出装置の物品貯留箱及び物品払出機構を示す側面図。
【図８】本発明の実施の形態に係る物品払出装置の物品払出機構を説明するために示す平面図。
【図９】本発明の実施の形態に係る物品払出装置における物品払出機構の第１駆動力伝達部を説明するために示す斜視図。
【図１０】本発明の実施の形態に係る物品払出装置における物品払出機構の搬送ローラの構成を示し、（ａ）は斜視図、（ｂ）は搬送ローラの形状を示す側面図。
【図１１】本発明の実施の形態に係る物品払出装置における物品払出機構の第２駆動力伝達部を説明するために示す斜視図。
【符号の説明】
【００５３】
１…物品払出装置、２…装置本体、２Ａ…基台部、２Ｂ…本体部、３…遊技機、３Ａ…遊技機本体、３Ｂ…ディスプレイ、４…物品貯留箱、４Ａ…貯留部、４Ｂ…載置部、５…物品払出機構、６…コントローラ、２１…構造体、２１ａ…内部空間、２２…前面パネル、２２ａ…硬貨投入口、２２ｂ…硬貨返却口、２２ｃ…物品取出口、２２ｄ…施錠部、２３…硬貨選別装置、２３ａ…硬貨処理部、２４…金庫、２５…硬貨誘導シュート、２６…物品誘導シュート、３１…内部空間、３２…操作パネル、３２ａ，３２ｂ…押釦、３３…立ち上がり部、４０…箱本体、４１…物品移動規制片、４２…ウエイト、４３…長孔、４４…物品搬送口、４５…物品払出規制部材、４５ａ…ガイド部、４６…上面板、４７…側面板、４８…収容空間、４９…開口窓、５０…回転モータ、５０ａ…駆動軸、５１…第１駆動力伝達部、５１ａ…第１プーリ、５１ｂ…第２プーリ、５１ｃ…第３プーリ、５１ｄ…伝達ベルト、５１ｅ…テンションローラ、５２…第１搬送ローラ、５２Ａ，５２Ｂ…ローラ面、５２ａ…段部、５３…第２駆動力伝達部、５３ａ…第４プーリ、５３ｂ…第５プーリ、５３ｃ…伝達ベルト、５４…第２搬送ローラ、５４Ａ，５４Ｂ…ローラ面、５４ａ…段部、５５…繰出ローラ、５５ａ…ローラ面、５６…押圧ローラ、５７,５８…支軸、１００…ホルダ、１０１…フラッパ、１０２…物品検出装置、１０２ａ…第１センサ、１０２ｂ…第２センサ、２００…支軸，５００…ブラケット、５０１…スプリング、ａ，ｂ…シート状食品、ｃ…袋体、Ｗ…シート状物品、ｗ…表側部
【図１】
2006163627.tif 000003
【図２】
2006163627.tif 000004
【図３】
2006163627.tif 000005
【図４】
2006163627.tif 000006
【図５】
2006163627.tif 000007
【図６】
2006163627.tif 000008
【図７】
2006163627.tif 000009
【図８】
2006163627.tif 000010
【図９】
2006163627.tif 000011
【図１０】
2006163627.tif 000012
【図１１】
2006163627.tif 000013